(57)【特許請求の範囲】
【請求項１】
入賞口と、前記入賞口の下端を回転軸として前後方向へ回動し、前記入賞口を開閉する開閉扉とを備えるパチンコ遊技機の入賞装置において、
前記入賞口の下端を回転軸として前後方向へ回動する可動釘を備え、
前記開閉扉が開き前記入賞口が開状態のとき、前記可動釘は略水平状態に制御され、略水平状態の前記可動釘は、当該可動釘に遊技球が当たる角度によって、遊技球を受止め開状態の前記入賞口の内部へ誘導し、又は、遊技球を跳ね返し開状態の前記入賞口の内部に誘導しないよう構成され、
前記可動釘が略水平状態のとき、前記開閉扉は、略水平状態となって前記入賞口を開状態にする動作モードと、略鉛直状態となって前記入賞口を開状態にする動作モードとからなる２つの動作モードをとり得るよう構成されることを特徴とするパチンコ遊技機の入賞装置。
【発明の詳細な説明】
【技術分野】
【０００１】
本発明は、パチンコ遊技機の入賞装置、詳しくは、入賞口と、入賞口を開閉する開閉扉とを備えるパチンコ遊技機の入賞装置に関する。
【背景技術】
【０００２】
パチンコ遊技機の入賞装置は、入賞口と、入賞口の下端に回転軸を有し前後方向へ回動し、入賞口を開閉する開閉扉とを備え、通常、開閉扉を開けて入賞口を開状態にし、開状態の開閉扉によって遊技球を受止め入賞口の内部へ誘導するモードと、開閉扉を閉じて入賞口を閉状態にし、遊技球が入賞口へ入球するのを禁止するモードとからなる２つのモードをとるよう構成される。なお、本願に先立ち、先行技術を調査したところ、特許文献１を見出した。
【特許文献１】特開２００６−３２０４０３公報
【発明の開示】
【発明が解決しようとする課題】
【０００３】
しかし、従来の入賞装置は、開閉扉が開状態のときは遊技球を入賞口に入球させることのみを前提として構成されているため、遊技者に対して、開閉扉が開状態であっても遊技球が入賞口に入球できるかどうか一喜一憂させることはできなかった。
【０００４】
本発明は、上記の点にかんがみなされたものであり、開閉扉が開状態であっても遊技球が入賞口に入球できるかどうか不明な状況を作り出し、遊技者を一喜一憂させることができる入賞装置を提供することを目的とする。
【課題を解決するための手段】
【０００５】
本発明によるパチンコ遊技機の入賞装置は、入賞口と、前記入賞口の下端を回転軸として前後方向へ回動し、前記入賞口を開閉する開閉扉とを備えるパチンコ遊技機の入賞装置において、前記入賞口の下端を回転軸として前後方向へ回動する可動釘を備え、前記開閉扉が開き前記入賞口が開状態のとき、前記可動釘は略水平状態に制御され、略水平状態の前記可動釘は、当該可動釘に遊技球が当たる角度によって、遊技球を受止め開状態の前記入賞口の内部へ誘導し、又は、遊技球を跳ね返し開状態の前記入賞口の内部に誘導しないよう構成され、前記可動釘が略水平状態のとき、前記開閉扉は、略水平状態となって前記入賞口を開状態にする動作モードと、略鉛直状態となって前記入賞口を開状態にする動作モードとからなる２つの動作モードをとり得るよう構成されることを特徴とする。
【０００６】
本発明の入賞装置によると、開閉扉が開状態であっても、水平状態の可動釘に遊技球が当たる角度によって、遊技球が可動釘で受止められ入賞口の内部に誘導される場合と、遊技球が可動釘で跳ね返され入賞口の内部に誘導されない場合を発生させることができるため、遊技者に対して、開閉扉が開状態であっても遊技球が入賞口に入球できるかどうか一喜一憂させることができる。
【０００７】
ここで、前記可動釘が略水平状態のとき、前記開閉扉は、略水平状態となって前記入賞口を開状態にする動作モードと、略鉛直状態となって前記入賞口を開状態にする動作モードとからなる２つの動作モードをとり得るよう構成すると、開閉扉が略水平状態となっているときには、開閉扉で受止められた遊技球の大部分は入賞口の内部に誘導されるため、遊技球の入賞口への入球確率が高くなり、一方、開閉扉が略鉛直状態となっているときには、水平状態の可動釘に遊技球が当たる角度によって、遊技球が可動釘で受止められ入賞口の内部に誘導される場合と、遊技球が可動釘で跳ね返され入賞口の内部に誘導されない場合が発生するようになり、遊技球の入賞口への入球確率が低くなる。したがって、可動釘と開閉扉の組み合わせによって、遊技球の入賞口への入球確率を変えることができる。
【発明を実施するための最良の形態】
【０００８】
以下、本発明の実施形態を図面に基づいて説明する。
【０００９】
図１は、本発明の一実施形態に係る入賞装置が組み込まれたパチンコ遊技機の遊技盤の正面図、図２は、入賞装置の分解斜視図、図３は、入賞装置の可動釘及び可動釘駆動機構の斜視図であって、可動釘が非作動状態つまり格納状態であるときの斜視図、図４は、入賞装置の可動釘及び可動釘駆動機構の斜視図であって、可動釘が作動状態つまり略水平状態であるときの斜視図、図５は、入賞装置の可動釘及び可動釘駆動機構の側面図であって、可動釘が非作動状態つまり格納状態であるときの側面図、図６は、入賞装置の可動釘及び可動釘駆動機構の側面図であって、可動釘が作動状態つまり略水平状態であるときの側面図、図７は、入賞装置の開閉扉及び開閉扉駆動機構の斜視図であって、開閉扉が非作動状態つまり閉状態であるときの斜視図、図８は、入賞装置の開閉扉及び開閉扉駆動機構の斜視図であって、開閉扉が第一の作動状態つまり略水平状態であるときの斜視図、図９は、入賞装置の開閉扉及び開閉扉駆動機構の斜視図であって、開閉扉が第二の作動状態つまり略鉛直状態であるときの斜視図、図１０は、入賞装置が非作動状態であるときの可動釘及び開閉扉の状態を示す斜視図、図１１は、入賞装置が第一の動作モードであるときの可動釘及び開閉扉の状態を示す斜視図、図１２は、入賞装置が第二の動作モードであるときの可動釘及び開閉扉の状態を示す斜視図、図１３は、入賞装置が第三の動作モードであるときの可動釘及び開閉扉の状態を示す斜視図をそれぞれ示す。
【００１０】
図１において、パチンコ遊技機は遊技盤面１を備え、遊技盤面１上に、遊技者がハンドルを操作することによって発射された遊技球が転動しながら落下してゆく遊技領域２が形成されている。
【００１１】
遊技領域２には、２つの普通入賞口３A、３B、２つのゲート４A、４B、普通始動入賞口５A、電動チューリップ型始動入賞口５B、入賞装置１００、アウト口６などが配設される。
【００１２】
遊技領域２の中央部に図柄表示装置７が配される。図柄表示装置７は、液晶表示器などで構成され、表示画面７aに、公知のデモ表示、始動入賞口５A、５Bへの入賞に基づく図柄変動表示、リーチ演出、大当たり演出などが行われる。
【００１３】
図２〜図１３において、入賞装置１００は、遊技盤面１に固定される正面プレート１１を備える。正面プレート１１の上部には、横長な長四角形状の入賞口１２が形成されている。入賞口１２の下方には、後述するように、入賞装置１００が第三の動作モードであるときの開閉扉１３を収容する凹部１４が形成されている。
【００１４】
正面プレート１１の入賞口１２に開閉扉１３が配される。開閉扉１３は、入賞口１２を閉塞可能な長四角形状の薄板部材１５で構成されており、薄板部材１５には、複数（本実施形態では２つ）の縦溝１６が形成されている。各縦溝１６は、薄板部材１５の基部１５ａ側に開口しており、各縦溝１６に、後述する可動釘が回動可能に収容される。薄板部材１５の基部１５ａかつ左端面及び右端面には、それぞれ水平軸部１７が突設されている（左端面側の水平軸部は図示されていない。）。各水平軸部１７は、正面プレート１１の裏面側において入賞口１２の左下端近傍及び右下端近傍にそれぞれ形成された軸受部（図示せず。）に回動自在に支持される。
【００１５】
右端面側の水平軸部１７には、小径ギヤ１８が固着されている。小径ギヤ１８には、第１大径ギヤ１９が噛み合わされ、第１大径ギヤ１９に第２大径ギヤ２０が噛み合わされる。第２大径ギヤ２０は、電動モータ２１の出力軸２１ａに固着される。電動モータ２１は正転及び逆転可能であり、正転時には、第２大径ギヤ２０、第１大径ギヤ１９及び小径ギヤ１８を介して水平軸部１７を前方へ回転（正転）させ、開閉扉１３を前方へ回動させ、逆転時には、正転時と同様第２大径ギヤ２０等を介して水平軸部１７を後方へ回転（逆転）させ、開閉扉１３を後方へ回動させる。水平軸部１７、小径ギヤ１８、第１大径ギヤ１９、第２大径ギヤ２０及び電動モータ２１は、開閉扉１３を回動する開閉扉駆動機構を構成する。
【００１６】
開閉扉１３の各縦溝１６には、可動釘３１が収容される。各可動釘３１の基部３１ａは、左右方向へ延びる１本の水平軸３２に固着されている。水平軸３２は、正面プレート１１の裏面側において入賞口１２の左下端近傍及び右下端近傍にそれぞれ形成された軸受部（図示せず。）に回動自在に支持される。水平軸３２の左端部には、受動カム３３が固着されている。受動カム３３は、駆動カム３４と係合する受圧部３３ａを有する。駆動カム３４は、受動カム３３の受圧部３３ａを上方から押え付ける押圧部３４ａと、正面プレート１１の裏面側に形成された軸受部（図示せず。）に回動自在に支持される軸部３４ｂと、電磁ソレノイド３５のプランジャー３６の凹部３７に係止され、プランジャー３６の進退動に追従して軸部３４ｂを中心に回動する係合部３４ｃとを有する。水平軸３２、受動カム３３、駆動カム３４、電磁ソレノイド３５及びプランジャー３６は、可動釘３１を回動する可動釘駆動機構を構成する。
【００１７】
正面プレート１１の裏面側に、通路部材４１が配される。通路部材４１は、正面プレート１１の入賞口１２の下端に連続し、入賞口１２に入球した遊技球を後方（奥方向）へ誘導する後下がり傾斜面４２と、後下がり傾斜面４２の左右方向中央部の後方に連続し、遊技球を左右方向へ振り分ける左下がり傾斜面４３及び右下がり傾斜面４４と、左下がり傾斜面４３及び右下がり傾斜面４４の後方に立設され、遊技球を受止める垂直壁部４５と、左下がり傾斜面４３の左方に配され、後下がり傾斜面４２又は左下がり傾斜面４３から転動してきた遊技球を外部に排出するとともに当該遊技球の通過を検知する検知部（例えば、磁気スイッチ）を有する左入賞検知手段４６と、右下がり傾斜面４４の右方に配され、後下がり傾斜面４２又は右下がり傾斜面４４から転動してきた遊技球を外部に排出するとともに当該遊技球の通過を検知する検知部（例えば、磁気スイッチ）を有する右入賞検知手段４７とを備える。
【００１８】
次に、上記のように構成される入賞装置の動作を説明する。
(1)非作動時（図３、図５、図７、図１０）
入賞装置１００が非作動状態のとき、開閉扉駆動機構の電動モータ２１は初期状態にあり、開閉扉１３は図７に示す状態つまり起立した鉛直状態に保持される。また、入賞装置１００が非作動状態のとき、可動釘駆動機構の電磁ソレノイド３５は初期状態つまりプランジャー３６が前進した状態にあり、可動釘３１は図３及び図５に示す状態つまり起立した鉛直状態に保持される。
【００１９】
このため、可動釘３１は、開閉扉１３の縦溝１６内に収容され縦溝１６を塞いだ状態となり、正面プレート１１の入賞口１２は、図１０に示すように、開閉扉１３と可動釘３１によって閉状態に保持され、遊技球の入賞口１２への入球は禁止される。
(2)第一の動作モード時（図４、図６、図７、図１１）
入賞装置１００が非作動状態にあるときに、可動釘駆動機構の電磁ソレノイド３５に通電すると、プランジャー３６は所定ストロークだけ後退し、このプランジャー３６の後退に伴い、駆動カム３４の係合部３４ｃが軸部３４ｂを中心に後方へ回動する。この係合部３４ｃの後方への回動に伴い、押圧部３４ａも後方へ回動し、受動カム３３の受圧部３３ａは後方つまり図５において反時計方向へ回動可能となり、可動釘３１は自重によって前方へ約９０°回動し、図４及び図６に示すように略水平状態に変移する。
【００２０】
このため、可動釘３１は、開閉扉１３の縦溝１６内から抜け出て前方へ突出した略水平状態に変移するようになり、正面プレート１１の入賞口１２は、図１１に示すように、開閉扉１３のみによって閉状態に保持される。したがって、略水平状態にある可動釘３１に遊技球が当たることはあっても、入賞口１２に入球することはない。ただし、可動釘３１の真下に他の入賞口例えば始動入賞口が配されている場合、可動釘３１が図１０に示すような鉛直状態にある場合には遊技球は始動入賞口へ入球し易くなるが、可動釘３１が図１１に示すような略水平状態にある場合には遊技球は始動入賞口へ入球し難くなる。
(3)第二の動作モード時（図４、図６、図８、図１２）
入賞装置１００が非作動状態にあるときに、開閉扉駆動機構の電動モータ２１に所定時間（第１所定時間という。）通電すると、電動モータ２１の出力軸２１ａは所定角度（第１所定角度という。）θだけ回転し、この出力軸２１ａの回転に伴い、第２大径ギヤ２０及び第１大径ギヤ１９を介して小径ギヤ１８が前方へ約９０°回動する。この小径ギヤ１８の前方への回動に伴い、開閉扉１３は前方へ約９０°回動し、図８に示すように略水平状態に変移する。
【００２１】
また、入賞装置１００が非作動状態にあるときに、電動モータ２１への通電とともに可動釘駆動機構の電磁ソレノイド３５に通電すると、プランジャー３６は所定ストロークだけ後退し、このプランジャー３６の後退に伴い、駆動カム３４の係合部３４ｃが軸部３４ｂを中心に後方へ回動する。この係合部３４ｃの後方への回動に伴い、押圧部３４ａも後方へ回動し、受動カム３３の受圧部３３ａは後方つまり図５において反時計方向へ回動可能となり、可動釘３１は自重によって前方へ約９０°回動し、図４及び図６に示すように略水平状態に変移する。
【００２２】
したがって、入賞装置１００が非作動状態にあるときに、電動モータ２１に第１所定時間通電するとともに電磁ソレノイド３５に通電すると、開閉扉１３及び可動釘３１はそれぞれ前方へ約９０°回動して略水平状態に変移し、可動釘３１は開閉扉１３の縦溝１６内に収容された状態となり、正面プレート１１の入賞口１２は、図１２に示すように、開閉扉１３及び可動釘３１によって開状態に変移する。このため、遊技球は開状態の開閉扉１３によって受止められ、開閉扉１３によって受止められた遊技球の大部分は、入賞口１２の内部へと誘導されるようになる。
【００２３】
(4)  第三の動作モード時（図４、図６、図９、図１３）
入賞装置１００が非作動状態にあるときに、開閉扉駆動機構の電動モータ２１に所定時間（第２所定時間という。第２所定時間は、第１所定時間の約２倍である。）通電すると、電動モータ２１の出力軸２１ａは所定角度（第２所定角度という。第２所定角度は第１所定角度θの約２倍である。）だけ回転し、この出力軸２１ａの回転に伴い、第２大径ギヤ２０及び第１大径ギヤ１９を介して小径ギヤ１８が前方へ約１８０°回動する。この小径ギヤ１８の前方への回動に伴い、開閉扉１３は前方へ約１８０°回動し、図９に示すように倒伏した鉛直状態（正面プレート１１の凹部１４に収容された状態）に変移する。
【００２４】
また、入賞装置１００が非作動状態にあるときに、電動モータ２１への通電とともに可動釘駆動機構の電磁ソレノイド３５に通電すると、プランジャー３６は所定ストロークだけ後退し、このプランジャー３６の後退に伴い、駆動カム３４の係合部３４ｃが軸部３４ｂを中心に後方へ回動する。この係合部３４ｃの後方への回動に伴い、押圧部３４ａも後方へ回動し、受動カム３３の受圧部３３ａは後方つまり図５において反時計方向へ回動可能となり、可動釘３１は自重によって前方へ約９０°回動し、図４及び図６に示すように略水平状態に変移する。
【００２５】
したがって、入賞装置１００が非作動状態にあるときに、電動モータ２１に第２所定時間通電するとともに電磁ソレノイド３５に通電すると、開閉扉１３は前方へ約１８０°回動して倒伏した鉛直状態に変移し、可動釘３１は前方へ約９０°回動して略水平状態に変移する。このため、正面プレート１１の入賞口１２は、図１３に示すように、開閉扉１３及び可動釘３１によって開状態に変移するが、可動釘３１のみが略水平状態となり開閉扉１３は水平状態ではないことから、遊技球が可動釘３１に当たる角度によって、遊技球が可動釘３１で受止められて入賞口１２の内部に誘導される場合と、遊技球が可動釘３１で跳ね返されて入賞口１２の内部に誘導されない場合が発生する。このような遊技状態は、遊技者を一喜一憂させることになる。
【００２６】
以上説明したように、本実施形態の入賞装置１００は、入賞口１２と、入賞口１２の下端（水平軸部１７）を回転軸として前後方向へ回動し、入賞口１２を開閉する開閉扉１３とを備えるパチンコ遊技機の入賞装置１００において、入賞口１２の下端（水平軸３２）を回転軸として前後方向へ回動する可動釘３１を備え、開閉扉１３が開き入賞口１２が開状態のとき、可動釘３１は略水平状態に制御され、略水平状態の可動釘３１は、可動釘３１に遊技球が当たる角度によって、遊技球を受止め開状態の入賞口１２の内部へ誘導し、又は、遊技球を跳ね返し開状態の入賞口１２の内部に誘導しないよう構成される。
【００２７】
本実施形態の入賞装置によると、開閉扉１３が開状態であっても、水平状態の可動釘３１に遊技球が当たる角度によって、遊技球が可動釘３１で受止められ入賞口１２の内部に誘導される場合と、遊技球が可動釘３１で跳ね返され入賞口１２の内部に誘導されない場合を発生させることができるため、遊技者に対して、開閉扉１３が開状態であっても遊技球が入賞口１２に入球できるかどうか一喜一憂させることができる。
【００２８】
また、可動釘３１が略水平状態のとき、開閉扉１３は、略水平状態となって入賞口１２を開状態にする動作モード（第二の動作モード）と、略鉛直状態となって入賞口１２を開状態にする動作モード（第三の動作モード）とからなる２つの動作モードをとり得るよう構成されるため、開閉扉１３が略水平状態となっているときには、開閉扉１３で受止められた遊技球の大部分は入賞口１２の内部に誘導されるため、遊技球の入賞口１２への入球確率が高くなり、一方、開閉扉１３が略鉛直状態となっているときには、水平状態の可動釘３１に遊技球が当たる角度によって、遊技球が可動釘３１で受止められ入賞口１２の内部に誘導される場合と、遊技球が可動釘３１で跳ね返され入賞口１２の内部に誘導されない場合が発生するようになり、遊技球の入賞口１２への入球確率が低くなる。したがって、可動釘３１と開閉扉１３の組み合わせによって、遊技球の入賞口１２への入球確率を変えることができる。
【図面の簡単な説明】
【００２９】
【図１】本発明の一実施形態に係る入賞装置が組み込まれたパチンコ遊技機の遊技盤の正面図である。
【図２】入賞装置の分解斜視図である。
【図３】入賞装置の可動釘及び可動釘駆動機構の斜視図であって、可動釘が非作動状態つまり格納状態であるときの斜視図である。
【図４】入賞装置の可動釘及び可動釘駆動機構の斜視図であって、可動釘が作動状態つまり略水平状態であるときの斜視図である。
【図５】入賞装置の可動釘及び可動釘駆動機構の側面図であって、可動釘が非作動状態つまり格納状態であるときの側面図である。
【図６】入賞装置の可動釘及び可動釘駆動機構の側面図であって、可動釘が作動状態つまり略水平状態であるときの側面図である。
【図７】入賞装置の開閉扉及び開閉扉駆動機構の斜視図であって、開閉扉が非作動状態つまり閉状態であるときの斜視図である。
【図８】入賞装置の開閉扉及び開閉扉駆動機構の斜視図であって、開閉扉が第一の作動状態つまり略水平状態であるときの斜視図である。
【図９】入賞装置の開閉扉及び開閉扉駆動機構の斜視図であって、開閉扉が第二の作動状態つまり略鉛直状態であるときの斜視図である。
【図１０】入賞装置が非作動状態であるときの可動釘及び開閉扉の状態を示す斜視図である。
【図１１】入賞装置が第一の動作モードであるときの可動釘及び開閉扉の状態を示す斜視図である。
【図１２】入賞装置が第二の動作モードであるときの可動釘及び開閉扉の状態を示す斜視図である。
【図１３】入賞装置が第三の動作モードであるときの可動釘及び開閉扉の状態を示す斜視図である。
【符号の説明】
【００３０】
１２    入賞口
１３    開閉扉
３１    可動釘
１００    入賞装置
【図１】
0004691130.tif 000002
【図２】
0004691130.tif 000003
【図３】
0004691130.tif 000004
【図４】
0004691130.tif 000005
【図５】
0004691130.tif 000006
【図６】
0004691130.tif 000007
【図７】
0004691130.tif 000008
【図８】
0004691130.tif 000009
【図９】
0004691130.tif 000010
【図１０】
0004691130.tif 000011
【図１１】
0004691130.tif 000012
【図１２】
0004691130.tif 000013
【図１３】
0004691130.tif 000014